(57)【要約】【課題】簡単かつ安価な構成により、スクリーン４同士の接合と解除を行う。【解決手段】両端ブラケット６に軸受されたシャフト７にそれぞれ巻付けられ、シャフト７の回転により互いに接近して繰出し、巻上げ動作される少なくとも一対のスクリーン４を備えたロールスクリーン４において、各スクリーン４の隣接縁部に沿ってファスナー１０を設けるとともに、各スクリーン４の繰出し端に下部にファスナー１０同士の係合及びその解除を行うための固定式スライダー１４を、連結用ブラケット１３を介して固定配置し、繰出し時において、ファスナー１０がスライダー１４を通過することで、スクリーン４がファスナー１０を介して互いに接合し、巻取り時において、ファスナー１０がスライダー１４を通過することで離間してスクリーン４同士の接合を解除し、各別に巻取られるようにした。【選択図】図３
2005002776.tif 000002
【特許請求の範囲】
【請求項１】
回転可能なシャフトに巻付けられ、該シャフトの回転動作により、その縁部が互いに接近した状態で繰出し巻上げ動作される少なくとも一対のスクリーンを備えたロールスクリーンにおいて、
前記各スクリーンの隣接縁部に沿ってファスナーを設けるとともに、前記各スクリーンの繰出し端に前記ファスナー同士の接合およびその解除を行うためのスライダーを固定配置し、前記各スクリーンの繰出し時において、前記各ファスナーが前記スライダーを通過することで、前記スクリーン同士がファスナーを介して互いに接合し、前記各スクリーンの巻取り時において、前記各ファスナーが前記スライダーを通過することで離間して各スクリーン同士の接合を解除し、前記シャフトに各別に巻取られるようにしたことを特徴とするロールスクリーンのジョイント構造。
【請求項２】
請求項１において、前記スクリーンが、不燃性、耐火性ないしは難燃性を有していることを特徴とするロールスクリーンのジョイント構造。
【請求項３】
請求項１または２において、前記各シャフトが平行にして、かつ軸方向にずらされて配置され、前記スクリーンの端縁同士が接近していることを特徴とするロールスクリーンのジョイント構造。
【請求項４】
請求項１または２において、前記各シャフトが同一軸線上に配置されているとともに、前記シャフト問に平行に補助シャフトを配置し、この補助シャフトに巻付けられて前記スクリーンと同期して繰出し巻上げ動作される補助スクリーンを設け、この補助スクリーンの両側に沿ってファスナーを設け、前記各スクリーンの端縁に設けたファスナーとの間で接合、離間できるようにしたことを特徴とするロールスクリーンのジョイント構造。
【請求項５】
請求項４において、前記シャフト間を直接ないし連結手段を介して軸結したことを特徴とするロールスクリーンのジョイント構造。
【請求項６】
請求項１または２において、前記各シャフトが所定の交差角をなして配置されていることを特徴とするロールスクリーンのジョイント構造。
【請求項７】
請求項６において、前記シャフトの交差部分を回転伝達手段を介して連結し、一方のシャフトの回転力を他方のシャフトに伝達することを特徴とするロールスクリーンのジョイント構造。
【請求項８】
請求項６または７において、前記スライダーにより前記ファスナー同士を係合させ、また係合解除する際に、前記スライダーで噛合う左右の噛合素子が略一直に並ぶように該スライダーの左右近傍における前記スクリーンに当接して、その形状を矯正するスクリーン矯正部材を設けたことを特徴とするロールスクリーンのジョイント構造。
【請求項９】
請求項８において、前記スクリーン矯正部材は、一端が前記スライダーと係合され、他端が固定配置された取付材に係合される支柱と、
該支柱の中程から左右に向かって、先端にガイド金具が設けられた腕とを備え、
前記ガイド金具と前記スライダーとを結ぶ直線が１２０°〜１８０°をなして左右の前記噛合素子が略一直に並ぶように前記スクリーン形状を矯正することを特徴とするロールスクリーンのジョイント構造。
【発明の詳細な説明】
【技術分野】
【０００１】
本発明は、隣合うスクリーン同士を気密に接合するためのロールスクリーンのジョイント構造に関する。
【背景技術】
【０００２】
ロール可動式の防火垂壁や、防火防煙スクリーンシャッターにより長い距離の垂れ壁や、区画を形成する場合、一本の長いシャフトにスクリーンを巻取る構造とした場合には、シャフトそのものの重量や、スクリーンの重量でシャフトがたわみ、繰出し、巻上げ動作が困難となる。このため、シャフトを分割してそれぞれの両端を軸受ブラケットに軸受けさせ、複数のスクリーンとする必要があるが、単に複数配列した場合には、隣合うスクリーン間があいてしまう。
【０００３】
そこで従来では、固定式あるいは可動式のガイドレールをスクリーン間に配置する方法や、継手部分に隣合うスクリーンに重なる一枚の補助スクリーンをあてがって同時降下させることにより、スクリーン間の隙間を埋めるものがある（特許文献１，２）。
【特許文献１】特開平１０−２９２７５２号公報
【特許文献２】特開平１０−３３７３３７号公報
【発明の開示】
【発明が解決しようとする課題】
【０００４】
しかしながら、スクリーン間にガイドレールを設ける場合、固定式のものであれば、美観に劣るし、日常の空間の使い勝手が悪いものとなる。可動式とした場合には、機構が複雑となり、コストアップなどの問題が生ずる。また、補助スクリーンによるジョイントの場合には、前記の欠点は解消されるものの、気密性の点では不十分であり、遮煙性能に劣るものとなっていた。
【０００５】
本発明は、以上の課題を解決するためのものであり、その目的とするところは、安価かつ簡単な構成を付加することで、繰出し状態で隣合うスクリーン同士が自動的に接合し、巻取り状態で接合が解除されて各シャフトに個別に巻取られるようにしたロールスクリーンのジョイント構造を提供するものである。
【課題を解決するための手段】
【０００６】
前記目的を達成するため、請求項１に係る発明は、回転可能なシャフトに巻付けられ、該シャフトの回転動作により、その縁部が互いに接近した状態で繰出し巻上げ動作される少なくとも一対のスクリーンを備えたロールスクリーンにおいて、前記各スクリーンの隣接縁部に沿ってファスナーを設けるとともに、前記各スクリーンの繰出し端に前記ファスナー同士の接合およびその解除を行うためのスライダーを固定配置し、前記各スクリーンの繰出し時において、前記各ファスナーが前記スライダーを通過することで、前記スクリーン同士がファスナーを介して互いに接合し、前記各スクリーンの巻取り時において、前記各ファスナーが前記スライダーを通過することで離間して各スクリーン同士の接合を解除し、前記シャフトに各別に巻取られるようにしたことを特徴とするものである。
【０００７】
すなわち、本発明では、衣類、鞄その他の縫製品一般に用いられるファスナーにおいて、通常の使用法とは逆にスライダーを固定しておき、これにファスナーを通過させることで、スライダーの下部側ではスクリーン同士が結合され、上部側では分離できるようにしたもので、下降展開状態で隣合うスクリーン同士を気密に接合できる。
【０００８】
また、請求項２に係る発明では、前記スクリーンが、不燃性、耐火性ないしは難燃性を有していることにより、当該スクリーンを繰り出すことによって、防火・防煙機能を発揮することができ、防火区画を形成することができる。
【０００９】
さらに、請求項３に係る発明では、前記各シャフトが平行にして、かつ軸方向にずらされて配置され、前記スクリーンの端縁同士が接近していることにより、両スクリーン同士をファスナーを介して直接接合できる。
【００１０】
さらに、請求項４に係る発明では、前記各シャフトが同一軸線上に配置されているとともに、前記シャフト間に平行に補助シャフトを配置し、この補助シャフトに巻付けられて前記スクリーンと同期して繰出し巻上げ動作される補助スクリーンを設け、この補助スクリーンの両側に沿ってファスナーを設け、前記各スクリーンの端縁に設けたファスナーとの間で接合、離間できるようにしたことにより、スクリーン間が離れて配置されていても、補助スクリーンにファスナーを介して気密に接合できる。
【００１１】
また、請求項４において、前記シャフト間を直接ないし連結手段を介して軸結することで、一つの開閉駆動機構により複数のスクリーンを駆動できる。
【００１２】
さらに、前記各シャフトが所定の交差角をなして配置されていることを特徴としてもよい。
【００１３】
また、請求項６において、前記シャフトの交差部分を回転伝達手段を介して連結し、一方のシャフトの回転力を他方のシャフトに伝達することにより、一つの開閉駆動機構により、交差角をなす複数のスクリーンを駆動できる。
【００１４】
さらに、請求項８に係る発明では、前記スライダーにより前記ファスナー同士を係合させ、また係合解除する際に、前記スライダーで噛合う左右の噛合素子が略一直に並ぶように該スライダーの左右近傍における前記スクリーンに当接して、その形状を矯正するスクリーン矯正部材を設けることで、ファスナー同士を係合させ、また係合解除する際の抵抗を小さくすることができる。
【００１５】
さらに、請求項９に係る発明では、前記スクリーン矯正部材を、一端が前記スライダーと係合され、他端が固定配置された取付材に係合される支柱と、該支柱の中程から左右に向かって、先端にガイド金具が設けられた腕とを備え、前記ガイド金具と前記スライダーとを結ぶ直線が１２０°〜１８０°をなして左右の前記噛合素子が略一直に並ぶように前記スクリーン形状を矯正することで、ファスナー同士の係合、係合解除をスムースに行うことができる。
【発明の効果】
【００１６】
以上の説明により明らかなように、本発明によるロールスクリーンのジョイント構造によれば、簡単かつ安価な構成の付加により、繰出し状態で隣合うスクリーン同士が自動的に接合し、巻取り状態で接合が解除され、スクリーンを分離状態で各シャフトに個別に巻取ることができる。
【００１７】
また、スクリーン矯正部材を設けたので、ファスナー同士を係合させ、また係合解除する際の抵抗を小さくすることが可能となり、係合、係合解除をスムースに行うことができる。
【発明を実施するための最良の形態】
【００１８】
以下、本発明の好ましい実施の形態につき、添付図面を参照して詳細に説明する。
【００１９】
＝＝＝第一実施形態＝＝＝
図１〜図３は本発明の第一実施形態を示す。同図において、天井ボード１で仕切られる天井裏２には、ロールスクリーンのシャッターケース３が配置され、シャッターケース３内に巻取り状態で格納された一対の不燃性織布などからなる不燃性、耐火性ないしは難燃性を有するスクリーン４を、天井ボード１に開ロされたスリットを通じて室内５側に下降させ、室内５をスクリーン４によって二つの区画に仕切るようになっている。
【００２０】
各スクリーン４は、両端を一対の軸受ブラケット６に回転可能に軸受され、かつ軸方向にずらされた平行なシャフト７にそれぞれ巻取られ、その端縁同士は近接状態に配置されている。各シャフト７は、例えば各別の開閉器８によって駆動されるもので、その繰出し端下部には両スクリーン４に共通のウェイト兼用の座板９が連結されている。開閉器８は巻上げ用モータ、クラッチなどを備え、通常はクラッチ接状態としてスクリーン４を巻上げ状態に保持し、非常時にはクラッチ断信号によりクラッチが掛けはずれ、各シャフト７の自由回転を可能とし、ウェイト兼用の座板９の自重によりスクリーン４を下降させて、室内５を区画する。
【００２１】
両スクリーン４の隣接位置にはこれの側部端縁に沿ってファスナー１０（ジッパーとも称する）が設けられ、このファスナー１０に対応して両スクリーン４の隣接位置下部には、前記スリットに下面開口させた接合ガイド装置１１が設けられている。このガイド装置１１は、前後の前記スクリーン４の隣接位置下部に固定された前後一対のガイド板１２と、両ガイド板１２の内側に連結用ブラケット１３を介して支持固定されたＹ字型の固定式スライダー１４と、スライダー１４の上部に設けられた噛み込み防止用の分岐金物１５とからなっている。
【００２２】
前記各ファスナー１０は、縫製品などに用いられる一般的なもので、特に図３に示すように、スクリーン４の側縁にそれぞれ縫合などにより連結された一対のファスナーテープ１６と、テープ１６の側縁に沿って配列された多数の噛合素子１７（エレメント、あるいはシムとも称するかみ合い部分）及び両テープ１６の下端縁にあって、両テープ１６の下端を連結した下止め具１８とからなっている。
【００２３】
各噛合素子１７は一般に金属製であって、図３の一部に拡大して示すように、その先端上部に係合突起を、下部に係合凹部を、それぞれ形成したもので、スライダー１４の内部におけるＹ字型通路の下部側合流端で左右の噛合素子同士が合流し、一方の噛合素子１７の係合突起が他方の噛合素子の係合凹部に順次係合することでファスナー１０同士が接合し、また上部側に移動することで係合を解除しつつ左右に分岐状態に離間する。
【００２４】
なお、これ以外にもコイル型と称し、スライダー１４の合流側で合成樹脂製コイル同士が絡み合うことによりファスナー１０同士が接合し、分岐側で絡み合いが解除される構造もあるが、テープ１６の素材として不燃性（ないしは耐火性または難燃性）織布などから構成されたテープ素材、また噛合素子１７、下止め具１８はそれぞれ金属製のものを用いることが望ましい。
【００２５】
さらに、前記分岐金物１５の機能としては、例えば一方のスクリーン４の端縁に、ファスナー１０の表面を覆うための重ね布などが逢着されていた場合に、ファスナー１０の移動時において、この重ね布がスライダー１４に噛み込むことを防止する機能、あるいはそうでない場合においても、異物がスライダー１４に噛み込むことを防止するための機能を備えている。
【００２６】
以上の構成において、前記各スクリーン４の下降時には各噛合素子１７がスライダー１４を通過することにより、スライダー１４の下部位置ではファスナー１０の噛合素子１７同士は係合し、ファスナー１０を介してスクリーン４同士をほぼ気密に接合する。また、上昇時にはスライダー１４の上部位置では噛合素子１７同士は離間し、両スクリーン４は分離し、それぞれのシャフト７に巻取られる。すなわち、両スクリーン４の繰出し下降展開状態では、ファスナー１０同士の係合によりスクリーン４は気密に接合され、巻取り格納状態ではファスナー１０の離間により分離することになる。
【００２７】
以上の上下降時におけるスライダー通過位置の摺動抵抗は、スクリーン４の自重に対して無視することができる値であり、スムースな上下降が可能である。
【００２８】
なお、木実施形態では二枚の隣合うスクリーン４同士の接合に適用したが、さらに幅広い室内空間を仕切る場合には三枚以上の複数のスクリーン４の接合にも適用できる。
【００２９】
＝＝＝第二実施形態＝＝＝
図４，５は、本発明の第二実施形態を示す。本実施形態において、前記第一実施形態と同一箇所には同一符号を付し、異なる箇所あるいは新たに付加される箇所にのみ新たな符号を付して説明する。
【００３０】
同図において、両スクリーン４のシャフト７は、ジョイント金具２０を介して同軸に連結され、これによって共通の開閉器８によって駆動される。但し、各シャフト７の両端はブラケット６に軸受され、ジョイント金具２０が介在されているため、両スクリーン４の端縁同士は離間してしまい、ファスナー１０による接合は不可となる。
【００３１】
そこで、本実施形態では、両スクリーン４の間にその両端をほぼ接した状態で補助スクリーン２１を平行に配置し、これの巻取り繰出し用の補助シャフト２２の両端をブラケット２３に軸受している。補助スクリーン２１の下端はウェイト兼用の座板９に連結され、かつ補助シャフト２２は図示しないスプリングなどにより、巻取り側に付勢されている。
【００３２】
そして、補助スクリーン２１の両側部には縫合などによりファスナー１０が設けられ、これらを図５に示すように、一対の固定式スライダー１４内に前記スクリーン４側のファスナー１０と合流させて通過させることで、各スライダー１４の下部側で各スクリーン４が補助スクリーン２１を介して接合され、上部側でそれぞれ離間する構成となっている。
【００３３】
以上の実施形態では、スクリーン４同士が離間配置されていたとしても、補助スクリーン２１により縁部が接合され、また一つの開閉器８により、各スクリーン４を同時駆動できる利点がある。
【００３４】
＝＝＝第三実施形態＝＝＝
図６は、本発明の第三実施形態を示す。同図において、両スクリーン４は平面視同軸であり、側面及び正面視上下平行配置している点が第一実施形態とは異なり、また上部側のスクリーン４の長さを下部側スクリーン４とともに着床時において同一の長さとなるように余長を取っておくことが必要である以外は、前記第一実施形態と同じであり、天井裏２の高さを高くとることができる場合に好適である。また、本実施形態において、開閉器８は図示しないが、前記第一実施形態と同じく個別駆動とするか、共用とし、タイミングベルト及びプーリなどで同時駆動すべく連繋させることも可能である。
【００３５】
＝＝＝第四実施形態＝＝＝
図７は、本発明の第四実施形態を示す。同図において、一方のスクリーン４は他方のスクリーン４に対して９０°傾けて配置され、両シャフト７の近接端は両シャフト７に共用のＬ字型軸受ブラケット３０に回転可能に軸受され、かつこの位置に配置した一対の傘歯車３１等の動力伝達機構（確動性がある点で傘歯車３１を採用することが好ましい）により、一方のシャフト７の駆動用開閉器８の回転力を他方のシャフト７に伝達している。
【００３６】
そして、スクリーン４の接近端にはそれぞれファスナー１０が設けられ、スクリーン４の下部に設けた図示しない固定式スライダー１４により、下降時にスクリーン同士を接合し、上昇時離間させる点も前記各実施形態と同じである。
【００３７】
なお、ファスナー１０の接合位置では９０°折曲げられてしまうが、ファスナーテープ１６及びスクリーン４の可撓性に応じて、折曲げに対し十分対応可能である。また、本実施形態においては、一方のシャフト７の回転は他方とは逆向きであるため、逆回転に互いに同方向に下降、上昇すべくスクリーン４の巻取り方向を定めておけばよい。
【００３８】
本実施形態では、アトリウム、エスカレータなどの吹抜け空間全体を防火スクリーン装置で矩形状に囲う場合などにおいて、直交する面などにおいても隣合うスクリーン同士が降下した状態で自動接合するため、ガイドレールを設ける場合に比べて吹抜け空間廻りの意匠性・使い勝手が格段に向上するものとなる。
【００３９】
なお、本実施形態では、９０°交差するスクリーン４同士の接合に適用した場合を示したが、さらに浅い交差角度に設定することもでき、傘歯車３１をその交差角度に応じた噛合角度のものを選定するか、あるいは交差角度が浅い場合には、ユニバーサルジョイントなどのフレキシブルジョイントで構成してもよく、この場合には交差するシャフトの回転方向が同方向となる。
【００４０】
＝＝＝第五実施形態＝＝＝
図８及び図９は、本発明の第五実施形態を示す。構成は概ね第四実施形態と同じである。両スクリーン４は９０°又はその他の角度に配置されているので、スクリーン４が下降してファスナー１０同士を接合する際には、左右の噛合素子１７が一直線上に並ぶようにスライダー１４がスクリーン４を曲げて形状を矯正する必要がある。
【００４１】
図１０は、このときの様子を示した図で、接合前が点線で示され、接合中が実線で示されている。また、スクリーン４が上昇してファスナー１０同士の接合を解除する際にも、同様にスクリーン４の曲げが起きる。
【００４２】
このようにスクリーン４を曲げる際には、スクリーン４からスライダー１４に大きな力が加わったり、スライダー１４がテープ１６を噛んだりして、スムースに係合や係合解除が困難になる事態が発生することが予想される。そこで、本実施形態では、スライダー１４の昇降時にスクリーン４の形状を矯正するスクリーン矯正部材４０を設けている。
【００４３】
図１１は、スクリーン矯正部材４０の上面図であり、スライダー１４の中央に支柱４１が取り付けられ、この支柱４１にＹ字状に伸びる腕４２が形成されている。腕４２の先端にはガイド金具４３が設けられ、また支柱４１の付根は取付材４５に連結されている。この取付材４５は、図８で拡大した図からも分かるように、ガイド板１２に固定されている。
【００４４】
このような構成であるため、ファスナー１０の接合前は点線で示すような状態にあった左右のスクリーン４は、下降する際にガイド金具４３により押し広げられるように矯正される。そして、ガイド金具４３とスライダー１４とを結ぶ直線のなす角度を１２０°〜１８０°の範囲に設定することにより、ガイド金具４３で押し広げられた左右のスクリーン４の噛合素子１７は概ね一直線上に並ぶようにすることができる。また、ガイド金具４３とスクリーン４との接触抵抗は小さいので、スクリーン４を容易に昇降させることができ、さらに、噛合素子１７は略平行に並ぶので、スムースに係合させることができる。
【００４５】
なお、上記説明では腕４２の先端に取り付けられているガイド金具４３は球体であるとの前提で説明したが、ゼリービーンズのような形状であってもよく、ラグビーボールのような形状であってもよい。このような形状であるとスクリーン４の矯正を徐々に行うことができる利点がある。
【図面の簡単な説明】
【００４６】
【図１】本発明の第一実施形態によるロールスクリーンの平面図である。
【図２】図１のＡ−Ａ線による側断面図である。
【図３】図２のＢ視拡大正面図である。
【図４】本発明の第二実施形態によるロールスクリーンを示す平面図である。
【図５】図４のＣ視拡大正面図である。
【図６】本発明の第三実施形態によるロールスクリーンを示す斜視図である。
【図７】本発明の第四実施形態によるロールスクリーンを示す斜視図である。
【図８】本発明の第五実施形態によるロールスクリーンを示す上面図である。
【図９】図８のロールスクリーンの側面図である。
【図１０】ファスナーの係合前後の状態を説明する模式図である。
【図１１】スクリーン矯正部材の構成を示す上面図である。
【符号の説明】
【００４７】
４  スクリーン
６，２３，３０  軸受ブラケット
７  シャフト
１０  ファスナー
１３  連結用ブラケット
１４  固定式スライダー
１６  （ファスナー）テープ
１７  噛合素子
２０  ジョイント金具
２１  補助スクリーン
２２  補助シャフト
３０  Ｌ字型軸受ブラケット
３１  傘歯車（回転伝達手段）
４０  スクリーン矯正部材
４１  支柱
４２  腕
４３  ガイド金具
４５  取付材
【図１】
2005002776.tif 000003
【図２】
2005002776.tif 000004
【図３】
2005002776.tif 000005
【図４】
2005002776.tif 000006
【図５】
2005002776.tif 000007
【図６】
2005002776.tif 000008
【図７】
2005002776.tif 000009
【図８】
2005002776.tif 000010
【図９】
2005002776.tif 000011
【図１０】
2005002776.tif 000012
【図１１】
2005002776.tif 000013